(57)【要約】通信ハンドセット用の複数形式の安全な音声装置で、スピーカー（１５）、マイクロフォン（１６）、キーパッド（１７）、ディスプレイ（１８）と共にコアユニット（１２）を備える。コアユニットはまたスピーカーとマイクロフォンと接続する音声回路（２０）と、音声回路と接続する暗号化／暗号解読エレメント（２５）と、音声回路、暗号化／暗号解読エレメントとに接続されるコーダー／デコーダーエレメント（２７）と、キーパッド、ディスプレイ、音声回路、暗号化／暗号解読エレメント、コーダー／デコーダーエレメントに接続される制御エレメント（３０）からなる。標準インターフェース接続部（３５）は音声Ｉ／Ｏ端末（２１）、コーダー／デコーダーエレメントのデータＩ／Ｏ端末（２８）、制御エレメントの制御Ｉ／Ｏ端末（３２）に接続されている。メーティング標準インターフェース接続部（４０）はコアユニットの標準インターフェース接続部と整合してこれに接続される。
2004516773.tif 000002
【特許請求の範囲】
【請求項１】
通信ハンドセット用の複数形式の安全な音声装置であって、
オペレータインターフェースエレメント及び少なくとも一つのオペレータインターフェースエレメントに接続され、かつ音声Ｉ／Ｏ端末を備える音声回路と、音声回路に対して接続される暗号化／暗号解読エレメントと、音声回路及び暗号化／暗号解読エレメントに接続され、かつデータＩ／Ｏ端末を備えるコーダー／エンコードエレメントと、少なくとも一つのオペレータインターフェースエレメント及び音声回路及び暗号化／暗号解読エレメント及びコーダー／エンコードエレメントに接続され、かつ制御Ｉ／Ｏ端末を備える制御エレメントとからなるフロントエンドと、
該音声Ｉ／Ｏ端末及び該データＩ／Ｏ端末及び該制御Ｉ／Ｏ端末に接続され、かつフロントエンドと携帯通信機器の送受信器とを作動接続させるべく携帯通信機器上の標準インターフェース接続部に整合する標準インターフェース接続部と、
からなる通信ハンドセット用の複数形式の安全な音声装置。
【請求項２】
オペレータインターフェースエレメントを備えるフロントエンド及び、少なくとも一つのオペレータインターフェースエレメントに接続され、かつ音声Ｉ／Ｏ端末を備える音声回路と、音声回路に接続される暗号化／暗号解読エレメントと、音声回路及び暗号化／暗号解読エレメントに接続され、かつデータＩ／Ｏ端末を備えるコーダー／デコーダーエレメントと、少なくとも一つのオペレータインターフェースエレメント及び音声回路及び暗号化／暗号解読エレメント及びコーダー／デコーダーエレメントに接続され、制御Ｉ／Ｏ端末を備える制御エレメントと、音声Ｉ／Ｏ端末及びデータＩ／Ｏ端末及び制御Ｉ／Ｏ端末に接続される標準インターフェース接続部とを備えるコアユニットと、
コアユニットの標準インターフェース接続部と、交換可能ユニットの標準インターフェース接続部に接続された送受信機とが整合するスタンダードインターフェース接続部を備える交換可能ユニットと、
からなる複数形式の安全な音声装置と通信ハンドセット。
【請求項３】
スピーカー及び、マイクロフォン及び、キーパッド及び、ディスプレイを備えるオペレータインターフェースエレメントと、
スピーカーとマイクロフォンと接続し音声Ｉ／Ｏ端末を備える音声回路と、
音声回路に接続される暗号化／暗号解読エレメントと、
音声回路及び、暗号化／暗号解読エレメントに接続され、かつデータＩ／Ｏ端末を備えるコーダー／デコーダーと、
キーパッド、ディスプレイ、音声回路、暗号化／暗号解読エレメント、及びコーダー／デコーダーに接続され、制御Ｉ／Ｏ端末を備える制御エレメントと、
音声Ｉ／Ｏ端末、データＩ／Ｏ端末及び制御Ｉ／Ｏ端末に接続される標準インターフェース接続部と、
コアユニットの標準インターフェース接続部と整合するメーティング標準インターフェース接続部と、
メーティング標準インターフェース接続部に接続される送受信機とを備えるコアユニットと、
からなる複数形式の安全な装置と通信ハンドセット。
【発明の詳細な説明】
【０００１】
発明の分野
本発明は通信用のハンドセット、特に安全な、即ち暗号化されたハンドセットに関するものである。
【０００２】
発明の背景
現在、遠隔電話、携帯電話、双方向ラジオなど、非常に多くの種類の携帯型の通信装置がある。多くの場合、部外者による情報の傍受を防ぐために、安全かつ暗号化された通信が求められている。非常に多くの種類の装置があるために、問題が生じている。様々な無線装置の例としてＡＭＰＳ，ＧＳＭ（ヨーロッパのＴＤＭＡセラーフォン）、イリジウム、ＩＳ９５（ＣＤＭＡ）、テラ（ヨーロッパの地上トランク無線）があり、有線装置の例ではＶ．３４モデムがある。
【０００３】
これらの無線及び、有線の装置はいずれも送受信機部分用に様々なフロントエンドと様々な運用形式を持つ。製造業者がこれら全ての種類の通信機器のために安全性を鑑みて暗号化する装置を製造すべく、現在様々なフロントエンドと様々な運用形式に対して互換性が必要とされ、各種類の装置のために異なったモジュールを製造する必要がある。従って、安全、即ち暗号化モジュールが要求され得る多様な装置に対応させるために非常に多様な製品を製造する必要がある。製造業者は特定の範囲内のモジュールの僅かな量のみしか販売できないため、明らかにこれは実際的でない。さらに、顧客が使用している携帯通信装置を交換したり（例えば、異なるモデルの電話を買う際）、第２タイプの携帯通信装置を購入したりする度に、顧客は新規の、または異なる暗号化モジュールを購入する必要がある。これは非常に費用がかかり、顧客の商品交換や異なる機器の購入を非常に抑えてしまう。
【０００４】
また、これら暗号化モジュールが米国政府により使用される際に、政府用アプリケーションで使用すべく、いずれの暗号化モジュールも個別に認証を受ける必要がある。政府の認証手続きは時間と費用とを要する、従って、仮にいくつかの種類の暗号化モジュールの認証を試みると、製造業者は多くの時間と費用を費やしてしまう。
従って、通信ハンドセット用の複数形式の安全な音声装置の供給が非常に望まれている。
【０００５】
発明の詳細な説明
図に示すのは、本発明に基づく複数形式の安全な音声装置及び通信ハンドセット１０を図示する簡易化したブロックダイアグラムである。ハンドセット１０はコアユニット１２と交換可能ユニット１４とからなる。コアユニット１２は、例えば、スピーカー１５、マイクロフォン１６、キーパット１７、一つ又は複数のディスプレイ１８など、必要とされるオペレータインターフェースエレメントを伴う完全なフロントエンドからなる。スピーカー１６とマイクロフォン１７とは音声回路２０に接続される。好適な実施形態において、該回路はアナログ音声信号をデジタル信号に変換する。例えば、デジタル出力音声回路は８ｋＨｚの音声を８ビット標本に変換するａ−Ｌａｗ  ＰＣＭ（パルスコード変調）ＣＯＤＥＣやμ―Ｌａｗ  ＰＣＭ  ＣＯＤＥＣからなる。音声回路２０はデジタル音声信号を入力／出力（Ｉ／Ｏ）端末２１上に提供する。
【０００６】
コアユニット１２は周知のアルゴリズムを組込み得る暗号化／暗号解読エレメント２５からなる。一般的に、商業用ハンドセットエレメント２５はＤＥＳやトリプルＤＥＳなど商業用の標準暗号化アルゴリズムからなる。
【０００７】
政府用アプリケーションで使用するために認証されたハンドセットの暗号化アルゴリズムは、例えば、米国政府タイプ１（Ｕ．Ｓ．Ｇｏｖｔ．Ｔｙｐｅ  １）や英国のハイグレード（ＵＫ“Ｈｉｇｈ−ｇｒａｄｅ”）などがある。米国政府使用用の認証を得ることは、商業販売用で使用されるいかなる認証を得るよりもより困難であり、費用もかかる。しかし、以下の記述により理解されるように、一種類の又は共通のコアユニット１２用に一つの認証しか要求されないため、この意味においては認証時間と費用が大幅に削減される。
【０００８】
コアユニット１２はさらに音声回路２０からのデジタル音声信号を送信用形式に変換するエンコード／デコードエレメント２７を備える。エレメント２７のよくある例として、ボコーダ（ｖｏｃｏｄｅｒ）ＡＣＥＬＰ，ＶＣＥＬＰ，ＡＭＢＥ，ＩＭＢＥなどがある。これら全てのエンコード／デコードアルゴリズムは６４Ｋビットのデジタル信号から音声やデータを低いレートの信号（よくある例では２４ｋＢＰＳ〜９．６ｋＢＰＳ）に変換する。また、エレメント２７はエレメント２５と協働して送信されるべき信号を暗号化し、受信した信号を解読する。コード化された信号と暗号化された信号はＩ／Ｏ端末２８に提供される。また、いくつかの例では、暗号化を行わず、コード化を行ったり、行わずに音声を直接供給することが望ましい。この音声は直接Ｉ／Ｏ端末２１に供給される。
【０００９】
制御エレメント３０はバス３１を使用して音声回路２０、暗号化／暗号解読エレメント２５、エンコード／デコードエレメント２７に接続される。制御エレメント３０はコアユニット１２の作動を制御するために必要な全ての制御情報を供給する。また、キーパッド１７は制御エレメント３０に接続され、様々な制御部材（例えば、オン／オフ等）からの指示を受信し、入力されたメッセージをエレメント２７と互換性の有るデジタル信号に変更する。ディスプレイ１８は制御エレメント３０に接続され、制御エレメント３０からのディスプレイに互換可能な信号を受信する。また、一部の例（例えば、タッチスクリーンなど）では、制御エレメント３０がディスプレイ１８からの信号を受信する。オペレータインターフェースエレメントがコアユニット１２内に追加的に組込まれ、また一般的な周知の手段により接続され得る。また、制御エレメント３０は様々な制御信号を受信し通信するためにＩ／Ｏ端末３２を備える。また、制御エレメント３０はオフィスや家などの様々な有線装置に直接コアユニット１２を接続するデータＩ／Ｏ端末３３を備える。
【００１０】
コアユニット１２はＡＭＰＳ，ＧＳＭ（ヨーロッパのＴＤＭＡセラーフォン）、イリジウム、ＩＳ９５（ＣＤＭＡ）、テラ（ヨーロッパの地上トランク無線）など周知の無線装置や、Ｖ．３４モデムなど周知の有線装置などからなる、少なくとも一つの携帯通信ハンドセット又は装置用の共通のフロントエンド用に設計されている。コアユニット１２は様々な携帯通信装置に適合するために、標準インターフェース接続部３５を備える。標準インターフェース接続部３５はデータＩ／Ｏ端末２８、音声Ｉ／Ｏ端末２１、及び制御Ｉ／Ｏ端末３２に接続される。
【００１１】
フロントエンドとしてコアユニット１２を使用する携帯通信ハンドセット内と装置には、これに適合する標準インターフェース接続部４０が組込まれる。例えば、市場で使用した後に、内部フロントエンドを組込んだ使用済みの携帯ユニットを、標準インターフェース接続部４０に容易に組込め、コアユニット３０と接続して、コアユニット３０を内部フロントエンドの代わりに使用することができる。ここでの“標準インターフェース接続部”という用語は、周知の接続部として定義され、コアユニット３０及び、コアユニット１２をフロントエンドとしての使用を目的とするいかなる携帯通信ハンドセットや装置内に設置可能である。標準インターフェース接続部４０は周知の手段により、様々な種類の無線システムや有線システムの少なくともいずれか一つに設定されている送信機４２に接続されている。Ｉ／Ｏ端末４４は接続されるアンテナ４５と共に図示されているが、端末４４は様々な有線システムに接続されたり、接続部位を備えることがある。
【００１２】
従って、携帯ユニットは、様々な通信システム（例えば、ＡＭＰＳ，ＧＳＭ（ヨーロッパのＴＤＭＡセラーフォン）、イリジウム、ＩＳ９５（ＣＤＭＡ）、テラ（ヨーロッパの地上トランク無線）等の無線装置やＶ．３４モデムなど周知の有線装置）に対して各種フォーマット及びメーティング標準インターフェース接続部に対して互換性のある送受信機を必要とするに留まる。個別のフロントエンドを除去することができる。その結果、共通コアユニット１２がいずれの携帯ユニットにも供給され、ある個人が異なる携帯ユニットが必要な場合、単一のコアユニット１２を他のいかなる携帯送受信ユニットとも使用できる。また、ある個人が新規、又は異なる通信装置を必要とする場合、新規の携帯送受信ユニットを単に購入し、前の共通コアユニットを使用することが可能である。さらに、例えば、ある個人が内部フロントエンドを伴う携帯ユニットを保持する場合、メーティングスタンダート接続部４０を簡単に設置可能であり、安全な通信用に共通コアユニットを使用できる。これは携帯送受信ユニットの製造を非常に簡単にし、顧客のコストを大幅に削減できる。従って、顧客が異なる形式の携帯通信装置に変更したり、又は、新規や第２タイプの携帯通信装置を購入する度に、新規の又は別の暗号化モジュールを購入する必要がなくなる。製造業者は単一のフロントエンドについて認証と試験を求められるだけなので、時間が大幅に削減され、顧客に対するコストも削減される。
【図面の簡単な説明】
【図１】本発明に基づく通信ハンドセット用の複数形式の安全な音声装置の簡易化したブロックダイアグラム。
【図１】
2004516773.tif 000003
【国際公開パンフレット】
2004516773.tif 000004
2004516773.tif 000005
2004516773.tif 000006
2004516773.tif 000007
2004516773.tif 000008
2004516773.tif 000009
2004516773.tif 000010
2004516773.tif 000011
2004516773.tif 000012
2004516773.tif 000013
2004516773.tif 000014
2004516773.tif 000015
【国際公開パンフレット（コレクトバージョン）】
2004516773.tif 000016
2004516773.tif 000017
【国際調査報告】
2004516773.tif 000018
2004516773.tif 000019
2004516773.tif 000020